(57)【要約】【課題】画像が形成された用紙に筋付け処理を施す場合に、処理時間を最低限に押さえる。【解決手段】画像形成された用紙に対して、折り処理により折り目が形成される位置に予め筋を付ける筋付け処理を行う筋付け部と、画像形成された用紙に対して折り処理により折り目を形成する折り部と、筋付け処理と折り処理とを制御する制御部と、を備え、前記制御部は、前記用紙において前記折り目が形成される位置の画像の有無を調べ、前記画像の有無に基づいて筋付け処理を行うか否かを決定し、前記決定に基づいて折り処理の前に筋付け処理を行うか否かを制御する。【選択図】図１
2013257370.tif 000002
【特許請求の範囲】
【請求項１】
画像形成された用紙に対して、折り処理により折り目が形成される位置に予め筋を付ける筋付け処理を行う用紙処理方法であって、
前記用紙において前記折り目が形成される位置の画像の有無を調べ、
前記画像の有無に基づいて筋付け処理を行うか否かを決定し、
前記決定に基づいて用紙を処理する、
ことを特徴とする用紙処理方法。
【請求項２】
１つのジョブが複数ページで構成されている場合に、ページ毎に前記折り目が形成される位置の画像の有無を調べ、前記画像の有無に基づいてページ毎に筋付け処理を行うか否かを決定する、
ことを特徴とする請求項１に記載の用紙処理方法。
【請求項３】
１つのジョブが複数ページで構成されている場合に、ページ毎に前記折り目が形成される位置の画像の有無を調べ、前記画像の有無に基づいてジョブ全体で筋付け処理を行うか否かを決定する、
ことを特徴とする請求項１に記載の用紙処理方法。
【請求項４】
前記折り処理により山状の折り目が形成される面において、前記折り目が形成される位置の画像の有無を調べ、前記画像が有れば筋付け処理を行うと決定する、
ことを特徴とする請求項１−３のいずれか一項に記載の用紙処理方法。
【請求項５】
前記用紙の少なくとも一方の面において、前記折り目が形成される位置の画像の有無を調べ、前記画像が有れば筋付け処理を行うと決定する、
ことを特徴とする請求項１−３のいずれか一項に記載の用紙処理方法。
【請求項６】
前記用紙が事前に画像形成された追い刷り紙である場合には、設定された条件に基づいて、筋付け処理を行うか否かを決定する、
ことを特徴とする請求項１−５のいずれか一項に記載の用紙処理方法。
【請求項７】
前記用紙が事前に画像形成された追い刷り紙である場合には、
前記折り目が形成される位置における前記折り刷り紙として事前に画像形成された画像の有無を調べ、
前記折り刷り紙としての事前に画像形成された画像の有無に基づいて筋付け処理を行うか否かを決定する、
ことを特徴とする請求項１−５のいずれか一項に記載の用紙処理方法。
【請求項８】
画像形成された用紙に対して、折り処理により折り目が形成される位置に予め筋を付ける筋付け処理を行う筋付け部と、
画像形成された用紙に対して折り処理により折り目を形成する折り部と、
筋付け処理と折り処理とを制御する制御部と、
を備える用紙処理装置であって、
前記制御部は、
前記用紙において前記折り目が形成される位置の画像の有無を調べ、
前記画像の有無に基づいて筋付け処理を行うか否かを決定し、
前記決定に基づいて折り処理の前に筋付け処理を行うか否かを制御する、
ことを特徴とする用紙処理装置。
【請求項９】
前記制御部は、１つのジョブが複数ページで構成されている場合に、ページ毎に前記折り目が形成される位置の画像の有無を調べ、前記画像の有無に基づいてページ毎に筋付け処理を行うか否かを決定する、
ことを特徴とする請求項８に記載の用紙処理装置。
【請求項１０】
前記制御部は、１つのジョブが複数ページで構成されている場合に、ページ毎に前記折り目が形成される位置の画像の有無を調べ、前記画像の有無に基づいてジョブ全体で筋付け処理を行うか否かを決定する、
ことを特徴とする請求項８に記載の用紙処理装置。
【請求項１１】
前記制御部は、前記折り処理により山状の折り目が形成される面において、前記折り目が形成される位置の画像の有無を調べ、前記画像が有れば筋付け処理を行うと決定する、
ことを特徴とする請求項８−１０のいずれか一項に記載の用紙処理装置。
【請求項１２】
前記制御部は、前記用紙の少なくとも一方の面において、前記折り目が形成される位置の画像の有無を調べ、前記画像が有れば筋付け処理を行うと決定する、
ことを特徴とする請求項８−１０のいずれか一項に記載の用紙処理装置。
【請求項１３】
前記制御部は、
前記用紙が事前に画像形成された追い刷り紙である場合には、設定された条件に基づいて、筋付け処理を行うか否かを決定する、
ことを特徴とする請求項８−１２のいずれか一項に記載の用紙処理装置。
【請求項１４】
前記制御部は、
前記用紙が事前に画像形成された追い刷り紙である場合には、
前記折り目が形成される位置における前記折り刷り紙として事前に画像形成された画像の有無を調べ、
前記折り刷り紙としての事前に画像形成された画像の有無に基づいて筋付け処理を行うか否かを決定する、
ことを特徴とする請求項８−１２のいずれか一項に記載の用紙処理装置。
【発明の詳細な説明】
【技術分野】
【０００１】
本発明は、用紙処理方法及び用紙処理装置に関し、特に、画像が形成された用紙の束を冊子として排出する際の制御に関する。
【背景技術】
【０００２】
画像形成装置において各種の用紙処理装置を接続することで、さまざまな製本処理が可能になり、印刷装置として使用することができる。
【０００３】
たとえば、用紙の中央で用紙を中折りにした用紙束として、その束の折り目部分にステープル処理をして中綴じ製本が可能である。また、中綴じした用紙束の背の部分にローラ等で圧力を掛け、角の折り目をつけて背表紙部分を作り、無線綴じに似た状態にする角背処理が可能である。
【０００４】
また、このような折り目をつける前処理として、折り目をつける予定の位置に、クリーサー（creaser）と呼ばれる筋付け装置を用いて筋付け処理を施して筋を付けることが行われる。
【０００５】
そして、筋付け処理の後に折り処理を実行することで、複数枚の用紙を纏めた状態で折り処理を行っても、折り目が膨らむことを防止できる利点がある。
【０００６】
また、折り処理の前に筋付け処理をしておくことで、折り処理時に、用紙凸面側の折り目部分でトナーが剥がれる現象を防止できるという利点もある。
【０００７】
なお、このような筋付け処理について、基本的な技術が以下の特許文献１に提案されている。
【０００８】
また、製本された状態での品位を保つため、用紙の紙厚を計測し、計測結果に応じて筋付け処理の有無を制御する技術が、以下の特許文献２に記載されている。
【先行技術文献】
【特許文献】
【０００９】
【特許文献１】特開２０００−３０１８５１号公報
【特許文献２】特開２０１１−２５５５４７号公報
【発明の概要】
【発明が解決しようとする課題】
【００１０】
なお、筋付け装置では、画像形成された用紙を１枚ずつ搬送し、用紙を筋付け処理のために正しい位置に位置決めし、刃とダイで挟み込むことで筋を形成し、スイッチバック方式で用紙を排出するようにしている。このため、筋付け処理を実行することにより、用紙１枚毎に一定の処理時間が掛かるようになり、用紙あるいは冊子が排紙されるまでの時間が増大するという問題が生じるようになる。
【００１１】
なお、以上の特許文献１も特許文献２も、このような問題に関しては何ら配慮されていなかった。
【００１２】
本発明はこのような課題に鑑みてなされたものであって、画像が形成された用紙に筋付け処理を施す場合に、処理時間を無駄なく最低限に押さえることが可能な用紙処理方法及び用紙処理装置を提供することを目的とする。
【課題を解決するための手段】
【００１３】
すなわち、前記した課題を解決する本発明は、以下の通りである。
【００１４】
（１）この発明は、画像形成された用紙に対して、折り処理により折り目が形成される位置に予め筋を付ける筋付け処理を行う際に、前記用紙において前記折り目が形成される位置の画像の有無を調べ、前記画像の有無に基づいて筋付け処理を行うか否かを決定し、前記決定に基づいて用紙を処理する、ことを特徴とする。
【００１５】
（２）この発明は、上記（１）において、１つのジョブが複数ページで構成されている場合に、ページ毎に前記折り目が形成される位置の画像の有無を調べ、前記画像の有無に基づいてページ毎に筋付け処理を行うか否かを決定する、ことを特徴とする。
【００１６】
（３）この発明は、上記（１）において、１つのジョブが複数ページで構成されている場合に、ページ毎に前記折り目が形成される位置の画像の有無を調べ、前記画像の有無に基づいてジョブ全体で筋付け処理を行うか否かを決定する、ことを特徴とする。
【００１７】
（４）この発明は、上記（１）−（３）において、前記折り処理により山状の折り目が形成される面（凸面）において、前記折り目が形成される位置の画像の有無を調べ、前記画像が有れば筋付け処理を行うと決定する、ことを特徴とする。
【００１８】
（５）この発明は、上記（１）−（３）において、前記用紙の少なくとも一方の面において、前記折り目が形成される位置の画像の有無を調べ、前記画像が有れば筋付け処理を行うと決定する、ことを特徴とする。
【００１９】
（６）この発明は、上記（１）−（５）において、前記用紙が事前に画像形成された追い刷り紙である場合には、設定された条件に基づいて、筋付け処理を行うか否かを決定する、ことを特徴とする。
【００２０】
（７）この発明は、上記（１）−（５）において、前記用紙が事前に画像形成された追い刷り紙である場合には、前記折り目が形成される位置における前記折り刷り紙として事前に画像形成された画像の有無を調べ、前記折り刷り紙としての事前に画像形成された画像の有無に基づいて筋付け処理を行うか否かを決定する、ことを特徴とする。
【発明の効果】
【００２１】
本発明によると、以下のような効果が得られる。
【００２２】
（１）この発明は、画像形成された用紙に対して、折り処理により折り目が形成される位置に予め筋を付ける筋付け処理を行う際に、前記用紙において前記折り目が形成される位置の画像の有無を調べ、前記画像の有無に基づいて筋付け処理を行うか否かを決定し、前記決定に基づいて用紙を処理しており、画像が存在する場合には筋付け処理を実行すると共に画像が存在しない場合には筋付け処理を省略することが可能になり、折り処理時に折り目部分でトナーが剥がれる現象を防止しつつ、処理時間を無駄なく最低限に押さえることが可能になる。
【００２３】
（２）この発明は、上記（１）において、１つのジョブが複数ページで構成されている場合に、ページ毎に前記折り目が形成される位置の画像の有無を調べ、前記画像の有無に基づいてページ毎に筋付け処理を行うか否かを決定するため、折り目部分でのトナーが剥がれ現象と処理時間短縮とをページ毎に最適化することが可能になる。
【００２４】
（３）この発明は、上記（１）において、１つのジョブが複数ページで構成されている場合に、ページ毎に前記折り目が形成される位置の画像の有無を調べ、前記画像の有無に基づいてジョブ全体で筋付け処理を行うか否かを決定するため、折り目部分の折り形状をジョブに含まれる全ページで統一することができる。
【００２５】
（４）この発明は、上記（１）−（３）において、前記折り処理により山状の折り目が形成される面（凸面）において、前記折り目が形成される位置の画像の有無を調べ、前記画像が有れば筋付け処理を行うと決定するため、折り処理時に折り目部分でトナーが剥がれる現象を確実に防止しつつ、処理時間を無駄なく最低限に押さえることが可能になる。
【００２６】
（５）この発明は、上記（１）−（３）において、前記用紙の少なくとも一方の面において、前記折り目が形成される位置の画像の有無を調べ、前記画像が有れば筋付け処理を行うと決定するため、折り処理時に折り目部分でトナーが剥がれる等の画質劣化を用紙両面で確実に防止することが可能になる。
【００２７】
（６）この発明は、上記（１）−（５）において、前記用紙が事前に画像形成された追い刷り紙である場合には、設定された条件に基づいて、筋付け処理を行うか否かを決定するため、追い刷り紙において先に形成されている画像が存在する場合にも、折り処理時に折り目部分でトナーが剥がれる現象を防止しつつ、処理時間を無駄なく最低限に押さえることが可能になる。例えば、追い刷り紙において先に形成されている画像ではトナー像が安定しているため剥がれる可能性が小さいため、追い刷り紙である場合には筋付け処理を省略し、折り処理時に折り目部分でトナーが剥がれる現象を防止しつつ、処理時間を無駄なく最低限に押さえることが可能になる。
【００２８】
（７）この発明は、上記（１）−（５）において、前記折り刷り紙としての画像が存在するかに基づいて、筋付け処理を行うか否かが制御されるため、追い刷り紙において先に形成されている画像について、折り処理時に折り目部分でトナーが剥がれる現象を防止しつつ、処理時間を無駄なく最低限に押さえることが可能になる。例えば、追い刷り紙において先に形成されている画像ではトナー像が安定しているため剥がれる可能性が小さいため、追い刷り紙の画像が存在する領域では筋付け処理を省略し、折り処理時に折り目部分でトナーが剥がれる現象を防止しつつ、処理時間を無駄なく最低限に押さえることが可能になる。
【図面の簡単な説明】
【００２９】
【図１】本発明の実施形態の用紙処理装置を含む画像形成システムの構成を示すブロック図である。
【図２】本発明の実施形態の用紙処理装置を含む画像形成システムの構成を示す構成図である。
【図３】本発明の実施形態の用紙処理装置の構成を示す構成図である。
【図４】本発明の実施形態の用紙処理装置の主要部の構成を示す構成図である。
【図５】本発明の実施形態の用紙処理装置の主要部の構成を示す構成図である。
【図６】本発明の実施形態の用紙処理における用紙の状態を示す説明図である。
【図７】本発明の実施形態の用紙処理における用紙の状態を示す説明図である。
【図８】本発明の実施形態の用紙処理装置の動作を示すフローチャートである。
【図９】本発明の実施形態の用紙処理装置の動作を示すフローチャートである。
【図１０】本発明の実施形態の用紙処理装置の動作を示すフローチャートである。
【図１１】本発明の実施形態の用紙処理装置の動作を示すフローチャートである。
【図１２】本発明の実施形態の用紙処理装置の動作時の表示画面を示す説明図である。
【図１３】本発明の実施形態の用紙処理装置の動作を示すフローチャートである。
【発明を実施するための形態】
【００３０】
以下、図面を参照して本発明を実施するための形態（以下、実施形態）を詳細に説明する。
【００３１】
〔全体構成〕
図１と図２とを参照して、本実施の形態に係る用紙処理装置を備える画像形成システムの構成について説明する。図１と図２とに示すように、この画像形成システムは、画像形成装置１００と、後処理装置としての用紙処理装置３００と、後処理装置としての用紙処理装置４００と、を有している。なお、画像形成装置１００と用紙処理装置３００との間に別な装置が存在していても良いし、用紙処理装置４００は存在していなくとも良い。また、更に後段に別の用紙処理装置が連結されていても良い。
【００３２】
画像形成装置１００は、画像形成装置１００内の各部を制御すると共に用紙処理装置としてシステム全体を制御する制御部１０１と、接続されている他の装置と通信するための通信部１０２と、操作者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１０７と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令と画像処理後のイメージデータとに基づいて画像形成（印刷）を実行する画像形成部１５０と、を備えて構成されている。なお、画像形成装置１００で画像形成された用紙は、後段の用紙処理装置３００に向けて搬出される。
【００３３】
用紙処理装置３００は、画像形成装置１００の後段に接続されており、用紙処理装置３００内の各部を制御する制御部３０１と、画像形成装置１００と通信するための通信部３０２と、制御プログラム及び各種設定データを記憶すると共に制御プログラムのワークエリアとして使用される記憶部３０４と、後処理された用紙束を排出させる排出経路を選択する排出経路選択部３０５と、用紙を所定速度で搬送する搬送部３０７と、用紙全体として折ることなく筋を付ける筋付け部３１０と、筋付け処理後の用紙を次の後処理のために整合により位置制御する位置制御部としての整合部３２０と、用紙を中折り又は３つ折りに折る折り部３３０と、後処理のために用紙を重ね合わせて用紙束とする重ね合わせ部３４０と、折り部３３０で折られた用紙に後処理として中綴じを施す中綴じ部３５０と、中綴じ用の折り目が形成された用紙束の背折り部を平坦にする角背処理を施す角背処理部３６０と、中綴じされた用紙束の小口部分を断裁する断裁部３７０と、小口処理された冊子が排出される冊子送出部３８０と、排出された冊子を搬送する排出搬送部３９０と、を備えて構成される。
【００３４】
用紙処理装置４００は、用紙処理装置３００の後段に接続されており、用紙処理装置４００内の各部を制御する制御部４０１と、画像形成装置１００や用紙処理装置３００と通信するための通信部４０２と、制御プログラム及び各種設定データを記憶すると共に制御プログラムのワークエリアとして使用される記憶部４０４と、後処理された用紙束を排出させる排出経路を選択する排出経路選択部４０５と、用紙を所定速度で搬送する搬送部４１０と、用紙束を平綴じ処理を施す平綴じ部４２０と、メイントレイを排出先として用紙を排出するメイントレイ排出部４４０と、サブトレイを排出先として用紙を排出するサブトレイ排出部４５０と、を備えて構成される。
【００３５】
なお、図２の斜視図では、画像形成システムの主要部の構成を模式的に透過斜視図として示している。画像形成装置１００内の画像形成部１５０で画像形成されてから、図２のＸ方向に搬送されてきた用紙を、用紙処理装置４００で後処理する場合には、用紙処理装置３００でもそのままＸ方向に搬送する。
【００３６】
一方、用紙処理装置３００において後処理を実行する場合は、図２のように、筋付け部３１０でＹ方向の筋を付けた後に、折り部３３０においてＹ方向を稜線として中折りし、Ｙ方向に搬送しつつ、重ね合わせ部３４０と中綴じ部３５０とで重ね合わせてから折りと中綴じを実行し、さらに、Ｙ方向に搬送して角背処理部３６０でにより背表紙の部分を平坦にする角背処理を施すことで、後処理の実行効率が高まり、画像形成システムとして生産性を高めることが可能になる。
【００３７】
また、図３の斜視図では、用紙処理装置３００の部位３００Ｂにおいて、断裁部３７０で小口処理された冊子が冊子送出部３８０から排出される様子を模式的に示している。ここでは、冊子送出部３８０は、制御部３０１の制御にしたがって冊子を送り出すように挟持搬送するローラにより構成されている。また、冊子送出部３８０から排出された冊子は、ベルト状の排出搬送部３９０によりＸ方向に搬出される。
【００３８】
なお、図１〜図３における、画像形成装置１００、用紙処理装置３００、用紙処理装置４００の接続は画像形成システムの具体的な一例であって、このような接続や搬送方向に限定されるものではない。
【００３９】
〔筋付け処理と折り処理の構成と動作〕
図４は、筋付け処理を行うクリーサーと呼ばれる筋付け部３１０の基本構成を、ＸＺ平面にて示す断面構成図である。
【００４０】
ここで、画像形成装置１００から筋付け部３１０に搬送されてくる用紙は、筋付け部３１０で筋付け処理を実行する場合には、反転搬送路３０７Ｒに引き込まれ、搬送ローラ３０７Ｒ１１，３０７Ｒ１２，３０７Ｒ２１，３０７Ｒ２２による挟持搬送制御、あるいは、先端ストッパ３０７Ｒ３による位置規制により、用紙が所定位置で停止する。
【００４１】
この後、筋付けナイフ駆動部３１１により駆動され、Ｙ方向に伸びた筋付けナイフ３１２が、同様にＹ方向に伸びた凹部の刃型を有する刃型部３１３に向かって、−Ｘ方向に伸長することで、筋付けナイフ３１２の先端と刃型部３１３の凹部との間に用紙が挟持される。この動作により、Ｙ方向を長手方向とする筋が形成される（図４）。なお、この筋付け処理では、用紙全体としては平面状態を保っているため、折り処理による折り目とは異なり、平面上の用紙に、断面形状が半円形の筋が形成される。
【００４２】
また、この筋付け処理の際に、搬送ローラ３０７Ｒ１１，３０７Ｒ１２，３０７Ｒ２１，３０７Ｒ２２による挟持搬送制御、あるいは、先端ストッパ３０７Ｒ３の停止位置制御、または、挟持搬送制御と停止位置制御の両方により、用紙上の所望の位置に１本若しくは複数本の筋を付すことができる。
【００４３】
また、このようにして筋が付された用紙は、搬送ローラ３０７Ｒ１１，３０７Ｒ１２，３０７Ｒ２１，３０７Ｒ２２によって、反転搬送路３０７Ｒを戻って折り部３３０に向かって、スイッチバック方式で排出される。なお、この筋付け処理では、スイッチバック方式で用紙を１枚ずつ搬入・排出しているために処理時間が掛かるようになり、筋付け処理をしない場合に比べると、生産性（単位時間当たりの印刷物の出力能力）が低下するという問題が発生する。
【００４４】
図５は用紙処理装置３００における折り部３３０の基本構成をＸＺ平面にて示す断面構成図である。
【００４５】
ここで、折り部３３０で折りを実行する場合には、図５（１）のように、整合制御部３２１２により駆動される位置制御部材としての整合部材３２１１を整合待機位置まで駆動する。そして、筋付け部３１０から折り部３３０に搬送されてくる用紙は、搬送ローラ３３１１，３３１２、搬送ローラ３３２１，３３２２によって折り部３３０内を所定速度で搬送され、整合部材３２１１により用紙先端が所定位置に規制された状態で停止する。その後、整合制御部３２２２により駆動される位置制御部材としての整合部材３２２１を、図５（２）のように整合位置まで移動させて、この整合部材３２２１により用紙後端が所定位置に整合された状態で停止する。
【００４６】
なお、この図５の場合には、筋付け部３１０で筋付け処理された位置を中心にして中折りする場合を想定しており、整合部材３２１１で所定の整合量ｘ１、整合部材３２２１で所定の整合量ｘ２の整合を行うことで、筋と折り位置とが合致した状態になる。
【００４７】
この後、折りナイフ駆動部３３５１により駆動される折りナイフ３３５０が折りローラ３３４１，３３４２間で伸長することで、折りローラ３３４１，３３４２間に用紙が挟持されて、折り目が形成される。そして、折りナイフ３３５０がタイマで設定された一定時間だけ上昇した後に停止し、駆動ローラ３３４３によって折りローラ３３４２が用紙と折りナイフ３３５０とを戻す方向に駆動される。なお、この折り部３３０により、中綴じ用に用紙の中央に折り目を付ける中折りのほか、用紙の２カ所に折り目を付ける三つ折りも実行可能である。
【００４８】
図６は用紙において折り目が形成される位置に画像が存在しない状態を示している。ここでは、横長に置かれた用紙の中央縦方向に折り目のための筋が形成されており、「ＭＡＮＵＡＬ」という文字画像ａと、「ＡＢＣ Ｃｏ．Ｌｔｄ」という文字画像ｂとが、折り目の位置に掛からない状態で存在している。
【００４９】
また、図７は用紙において折り目が形成される位置に画像が存在する状態を示している。ここでは、横長に置かれた用紙の中央縦方向に折り目のための筋が形成されており、「ＭＡＮＵＡＬ」という文字画像ａと「ＡＢＣ Ｃｏ．Ｌｔｄ」という文字画像ｂとは折り目の位置に掛からない状態で存在しているが、「Ｎｅｗ  ＣＯＬＯＲ  ＰＲＩＮＴＥＲ」という文字画像ｃが折り目の位置に掛かる状態で存在している。
【００５０】
このように、用紙において折り目が形成される位置に画像が存在するか否かについては、制御部１０１からの画像形成情報や用紙情報を参照して、制御部３０１が判断する。
【００５１】
〔実施形態の動作（１）〕
以下、図８のフローチャートを参照して、本実施形態の動作（１）についての説明を行う。ここでは、図１と図２の接続状態の画像形成システムにおいて、画像形成装置１００で画像形成を行い、用紙処理装置３００で筋付け処理を実行する場合を中心にして説明する。
【００５２】
画像形成を制御している制御部１０１は、その画像形成について折りや中綴じなどの用紙処理が指定されている場合には、制御部３０１に対して用紙処理実行を指示する。この指示を受けた制御部３０１は、制御部１０１から画像形成情報と用紙処理情報とを取得する（図８中のステップＳ１０１）。ここで、画像形成情報とは、どのような用紙にどのような画像が形成され、ジョブ全体で何枚の用紙が出力されるかといった情報である。また、用紙処理情報としては、画像形成された用紙に対して、折り，中綴じ，角背処理，断裁といった用紙処理のいずれを実行するかといった情報である。
【００５３】
そして、制御部３０１は、画像形成装置１００から用紙処理装置３００に送られてくる用紙１枚ごと、折り処理が指定されているかを用紙処理情報により確認する（図８中のステップＳ１０２）。
【００５４】
折り処理が指定されていないと確認された場合（図８中のステップＳ１０２でＮＯ）、制御部３０１は、画像形成装置から送られてきた用紙について、筋付け処理や折り処理を行わず、指定されている他の用紙処理を実行して排出するように各部を制御する（図８中のステップＳ１０６）。
【００５５】
用紙処理情報から折り処理が指定されていると確認できれば（図８中のステップＳ１０２でＹＥＳ）、制御部３０１は、画像形成された用紙に対して折り処理により折り目が形成される位置に予め筋を付ける筋付け処理を行うか否かを判断すべく、画像形成情報と用紙処理情報とを参照して、用紙において山状の折り目が形成される用紙凸面側の位置の画像の有無を調べる（図８中のステップＳ１０３）。
【００５６】
なお、ここでは、折り目が形成される位置に画像が存在するか否かを判断基準としたが、折り目が形成される位置にトナー濃度の濃い画像が存在するか否かを判断基準としてもよい。既に説明したように、折り目が形成されることによりトナーが剥がれることを防止するために筋付け処理を行っているため、剥がれる可能性の小さい薄いトナー像であれば画像なしと同様に扱うことができるからである。
【００５７】
ここで、折り目が形成される位置に画像が存在しない場合（図８中のステップＳ１０３でＮＯ）、または、折り目が形成される位置に薄いトナー画像が存在する場合には、トナー像が剥がれる可能性が小さいため、制御部３０１の決定により、筋付け処理を行わずに、折り処理を実行し（図８中のステップＳ１０５）、指定されている他の用紙処理を実行して排出するように各部を制御する（図８中のステップＳ１０６）。この場合、筋付け処理を行わないため、用紙処理時間を短縮することができる。
【００５８】
また、折り目が形成される位置に画像が存在する場合（図８中のステップＳ１０３でＹＥＳ）、または、折り目が形成される位置に濃いトナー画像が存在する場合には、トナー像が剥がれる可能性が大きいため、制御部３０１は、筋付け処理を実行し（図８中のステップＳ１０４）、折り処理を実行し（図８中のステップＳ１０５）、更に指定されている他の用紙処理を実行して排出するように、動作を決定して各部を制御する（図８中のステップＳ１０６）。この場合、筋付け処理を行ってから折り処理を行うため、折り処理において折り目でトナー像が剥がれることはない。
【００５９】
以上の図８のフローチャートの動作によると、用紙において折り目が形成される位置の画像の有無を調べ、画像の有無に基づいて筋付け処理を行うか否かを用紙１枚ごとに決定し、決定に基づいて用紙を処理しており、画像が存在する場合には筋付け処理を実行すると共に画像が存在しない場合には筋付け処理を省略することが可能になり、折り処理時に折り目部分でトナーが剥がれる現象を有効に防止しつつ、ページ毎に最適化して処理時間を無駄なく最低限に押さえることが可能になる。
【００６０】
〔実施形態の動作（２）〕
以下、図９のフローチャートを参照して、本実施形態の動作（２）についての説明を行う。ここでも、図１と図２の接続状態の画像形成システムにおいて、画像形成装置１００で画像形成を行い、用紙処理装置３００で筋付け処理を実行する場合を中心にして説明する。
【００６１】
画像形成を制御している制御部１０１は、その画像形成について折りや中綴じなどの用紙処理が指定されている場合には、制御部３０１に対して用紙処理実行を指示する。この指示を受けた制御部３０１は、制御部１０１から画像形成情報と用紙処理情報とを取得する（図９中のステップＳ２０１）。
【００６２】
そして、制御部３０１は、画像形成装置１００から用紙処理装置３００に送られてくる用紙１枚ごと、折り処理が指定されているかを用紙処理情報により確認する（図９中のステップＳ２０２）。
【００６３】
折り処理が指定されていないと確認された場合（図９中のステップＳ２０２でＮＯ）、制御部３０１は、画像形成装置から送られてきた用紙について、筋付け処理や折り処理を行わず、指定されている他の用紙処理を実行して排出するように各部を制御する（図９中のステップＳ２０９）。
【００６４】
用紙処理情報から折り処理が指定されていると確認できれば（図９中のステップＳ２０２でＹＥＳ）、制御部３０１は、画像形成された用紙に対して折り処理により折り目が形成される位置に予め筋を付ける筋付け処理を行うか否かを判断すべく、画像形成情報と用紙処理情報とを参照して、用紙の各ページにおいて山状の折り目が形成される用紙凸面側の位置の画像の有無を調べる（図９中のステップＳ２０３）。なお、ここでは、折り目が形成される位置に画像が存在するか否かを判断基準としたが、折り目が形成される位置にトナー濃度の濃い画像が存在するか否かを判断基準としてもよい。
【００６５】
ここで、検査対象のページにおいて折り目が形成される位置に画像が存在する場合（図９中のステップＳ２０３でＹＥＳ）、または、検査対象のページにおいて折り目が形成される位置に濃いトナー画像が存在する場合には、トナー像が剥がれる可能性が大きいため、このページでは筋付け処理必要と判断する（図９中のステップＳ２０４ａ）。一方、検査対象のページにおいて折り目が形成される位置に画像が存在しない場合（図９中のステップＳ２０３でＮＯ）、または、検査対象のページにおいて折り目が形成される位置に薄いトナー画像が存在する場合には、トナー像が剥がれる可能性が小さいため、このページでは筋付け処理不要と判断する（図９中のステップＳ２０４ｂ）。このページ毎の折り目位置における画像有無に基づく筋付け処理必要不要判断をジョブ内の全ページにわたって行う（図９中のステップＳ２０５）。
【００６６】
そして、以上のページ毎の折り目位置における画像有無に基づく筋付け処理必要不要判断がジョブ内の全ページについて完了すると（図９中のステップＳ２０５でＹＥＳ）、制御部３０１は、筋付け処理が必要と判断されたページの割合と、予め定められた判断基準とを比較し、ジョブ全体で筋付け処理を行うか否かを決定する（図９中のステップＳ２０６）。なお、この判断基準は、用紙処理装置３００として予め初期設定されたものでもよいし、利用者が定めたものでもよい。たとえば、半数のページで筋付け処理が必要と判断された場合に、ジョブ全体として筋付け処理を行うと決定する。
【００６７】
そして、制御部３０１は、ジョブ全体として筋付け処理を行うと決定した場合（図９中のステップＳ２０６でＹＥＳ）、筋付け処理を実行し（図９中のステップＳ２０７）、折り処理を実行し（図９中のステップＳ２０８）、指定されている他の用紙処理を実行して排出するように各部を制御する（図９中のステップＳ２０９）。
【００６８】
一方、制御部３０１は、ジョブ全体として筋付け処理を行わないと決定した場合（図９中のステップＳ２０６でＮＯ）、筋付け処理を実行せずに折り処理を実行し（図９中のステップＳ２０８）、指定されている他の用紙処理を実行して排出するように各部を制御する（図９中のステップＳ２０９）。
【００６９】
この場合、１つのジョブが複数ページで構成されている場合に、ページ毎に折り目が形成される位置の画像の有無を調べ、ジョブ全体で筋付け処理を行うか否かを決定するため、折り目部分の折り形状をジョブに含まれる全ページで統一して美観を向上させることができる。また、ジョブ全体で筋付け処理を行わないと決定した場合には、折り形状を統一しつつ、処理時間を短縮することも可能になる。
【００７０】
〔実施形態の動作（３）〕
以下、図１０のフローチャートを参照して、本実施形態の動作（３）についての説明を行う。
【００７１】
画像形成を制御している制御部１０１は、その画像形成について折りや中綴じなどの用紙処理が指定されている場合には、制御部３０１に対して用紙処理実行を指示する。この指示を受けた制御部３０１は、制御部１０１から画像形成情報と用紙処理情報とを取得する（図１０中のステップＳ１０１）。
【００７２】
そして、制御部３０１は、画像形成装置１００から用紙処理装置３００に送られてくる用紙１枚ごと、折り処理が指定されているかを用紙処理情報により確認する（図１０中のステップＳ１０２）。折り処理が指定されていないと確認された場合（図１０中のステップＳ１０２でＮＯ）、制御部３０１は、画像形成装置から送られてきた用紙について、筋付け処理や折り処理を行わず、指定されている他の用紙処理を実行して排出するように各部を制御する（図１０中のステップＳ１０６）。
【００７３】
用紙処理情報から折り処理が指定されていると確認できれば（図１０中のステップＳ１０２でＹＥＳ）、制御部３０１は、画像形成された用紙に対して折り処理により折り目が形成される位置に予め筋を付ける筋付け処理を行うか否かを判断すべく、画像形成情報と用紙処理情報とを参照して、用紙において山状の折り目が形成される用紙凸面側の位置の画像の有無を調べる（図１０中のステップＳ１０３ａ）。
【００７４】
ここで、折り目が形成される位置の用紙凸面側に画像が存在しない場合（図１０中のステップＳ１０３ａでＮＯ）、または、折り目が形成される位置の用紙凸面側に薄いトナー画像が存在する場合には、制御部３０１は、画像形成情報と用紙処理情報とを参照して、用紙において谷状の折り目が形成される用紙凹面側の位置の画像の有無を調べる（図１０中のステップＳ１０３ｂ）。
【００７５】
折り目が形成される位置の用紙凸面側に画像が存在せず（薄いトナー画像が存在する場合を含む：図１０中のステップＳ１０３ａでＮＯ）、折り目が形成される位置の用紙凹面側に画像が存在しない場合（薄いトナー画像が存在する場合を含む：図１０中のステップＳ１０３ｂでＮＯ）、トナー像が剥がれる可能性が小さいため、制御部３０１の決定により、筋付け処理を行わずに折り処理を実行し（図１０中のステップＳ１０５）、指定されている他の用紙処理を実行して排出するように各部を制御する（図１０中のステップＳ１０６）。この場合、筋付け処理を行わないため、用紙処理時間を短縮することができる。
【００７６】
また、折り目が形成される位置の用紙凸面側に画像が存在する場合（濃いトナー画像が存在する場合を含む：図１０中のステップＳ１０３ａでＹＥＳ）、または、折り目が形成される位置の用紙凹面側に画像が存在する場合（濃いトナー画像が存在する場合を含む：図１０中のステップＳ１０３ｂでＹＥＳ）、すなわち、用紙の少なくとも一方の面で折り目が形成される位置に画像が存在すれば、トナー像が剥がれる可能性が大きいため、制御部３０１は、筋付け処理を実行し（図１０中のステップＳ１０４）、折り処理を実行し（図１０中のステップＳ１０５）、更に指定されている他の用紙処理を実行して排出するように、動作を決定して各部を制御する（図１０中のステップＳ１０６）。
【００７７】
なお、この実施形態では、折り処理時において用紙凸面側と用紙凹面側とでトナー像の剥がれやすさは異なるため、濃い/薄いトナー像で筋付け処理を行うか否かの判断基準を用紙凸面側と用紙凹面側とで異なる基準としてもよい。この場合、用紙凸面側はトナー像が剥がれやすいため、比較的薄いトナー像でも画像有りと扱って筋付け処理有りとし、用紙凹面側はトナー像が剥がれにくいため、中程度の濃度のトナー像でも画像無しと扱って筋付け処理無しとすることが可能である。
【００７８】
以上の図１０のフローチャートの動作によると、用紙の少なくとも一方の面で折り目が形成される位置に画像（濃淡を考慮する場合には濃い画像）が存在すれば筋付け処理ありと制御部３０１が決定するため、折り処理時に折り目部分でトナーが剥がれる等の画質劣化を用紙両面で確実に防止することが可能になる。
【００７９】
また、用紙の折り目が形成される位置の両面について、画像が存在しない（濃淡を考慮する場合には濃い画像が存在しない）場合には筋付け処理なしと制御部３０１が決定するため、折り処理時に折り目部分でトナーが剥がれる現象を有効に防止しつつ、トナー剥がれが発生しない場合には処理の無駄を省いて処理時間を最低限に押さえることが可能になる。
【００８０】
〔実施形態の動作（４）〕
以下、図１１のフローチャートを参照して、本実施形態の動作（４）についての説明を行う。
【００８１】
ここでは、事前に画像形成された追い刷り紙に対して、更に画像形成装置１００で画像形成して用紙処理装置３００で用紙処理を行う場合を想定している。
【００８２】
なお、この追い刷り紙とは、実行しようとする画像形成の以前に、画像形成装置１００あるいは他の画像形成装置のいずれかで、先に画像形成が行われている用紙を意味する。
【００８３】
なお、追い刷り紙において先に形成されている画像では、用紙処理までの間の時間の経過によってトナー像が用紙に対して安定して定着していると考えられる。よって、追い刷り紙において先に形成されている画像については、トナー剥がれを起こす可能性は小さくなっている。
【００８４】
また、以下の説明では、１つのジョブとして、追い刷り紙と追い刷り紙以外の用紙が混在した状態の画像形成であってもよい。
【００８５】
まず、画像形成装置１００において給紙部１０５に追い刷り紙が収容された設定がなされると、制御部１０１は、操作表示部１０３に図１２のような操作表示画面１０３Ｇを表示する。ここでは、操作表示画面１０３Ｇにおいて、追い刷り紙に対して一括して筋付け処理を行うか否かのガイダンス画面（図１２中の１０３Ｇ１）が表示されている。ここで、利用者が［ＯＫ］を押下することで、追い刷り紙全体に対して筋付け処理を行う設定がなされる。また、利用者が［ＯＦＦ］を押下することで、追い刷り紙全体に対して筋付け処理を行わない設定がなされる。また、図示されない別のガイダンス画面により、追い刷り紙中の画像の位置に基づいて筋付け処理を行うか否かといった設定がされうる。制御部１０１は、この追い刷り紙に対する筋付け処理の設定を、用紙処理情報として扱う。
【００８６】
そして、画像形成を制御している制御部１０１は、この追い刷り紙を用いた画像形成について折りや中綴じなどの用紙処理が指定されている場合には、制御部３０１に対して用紙処理実行を指示する。
【００８７】
この指示を受けた制御部３０１は、制御部１０１から画像形成情報と用紙処理情報とを取得する（図１１中のステップＳ３０１）。なお、追い刷り紙を用いる場合には、追い刷り紙を用いることが画像形成情報に含まれ、追い刷り紙に筋付け処理を行うか否かが用紙処理情報に含まれる。
【００８８】
そして、制御部３０１は、画像形成装置１００から用紙処理装置３００に送られてくる用紙１枚ごと、折り処理が指定されているかを用紙処理情報により確認する（図１１中のステップＳ３０２）。折り処理が指定されていないと確認された場合（図１１中のステップＳ３０２でＮＯ）、制御部３０１は、画像形成装置から送られてきた用紙について、筋付け処理や折り処理を行わず、指定されている他の用紙処理を実行して排出するように各部を制御する（図１１中のステップＳ３０９）。
【００８９】
用紙処理情報から折り処理が指定されていると確認できれば（図１１中のステップＳ３０２でＹＥＳ）、制御部３０１は、画像形成された用紙に対して折り処理により折り目が形成される位置に予め筋を付ける筋付け処理を行うか否かを判断すべく、画像形成情報と用紙処理情報とを参照して、用紙において山状の折り目が形成される用紙凸面側の位置の画像の有無を調べる（図１１中のステップＳ３０３）。
【００９０】
折り目が形成される位置に画像が存在しなければ（薄いトナー画像が存在する場合を含む：図１１中のステップＳ３０３でＮＯ）、トナー像が剥がれる可能性が小さいため、制御部３０１の決定により、筋付け処理を行わずに折り処理を実行し（図１１中のステップＳ３０８）、指定されている他の用紙処理を実行して排出するように各部を制御する（図１１中のステップＳ３０９）。この場合、筋付け処理を行わないため、用紙処理時間を短縮することができる。
【００９１】
ここで、折り目が形成される位置に画像が存在する場合（濃いトナー画像が存在する場合を含む：図１１中のステップＳ３０３でＹＥＳ）、その用紙が追い刷り紙であるか否かを、画像形成情報や用紙情報を参照して制御部３０１が確認する（図１２中のステップＳ３０４）。
【００９２】
折り目が形成される位置に画像が存在する場合（濃いトナー画像が存在する場合を含む：図１１中のステップＳ３０３でＹＥＳ）であって、その用紙が追い刷り紙以外であれば（図１２中のステップＳ３０４でＮＯ）、トナー像が剥がれる可能性が大きいため、制御部３０１は、筋付け処理を実行し（図１１中のステップＳ３０６）、折り処理を実行し（図１１中のステップＳ３０８）、更に指定されている他の用紙処理を実行して排出するように、動作を決定して各部を制御する（図１１中のステップＳ３０９）。
【００９３】
折り目が形成される位置に画像が存在し（濃いトナー画像が存在する場合を含む：図１１中のステップＳ３０３でＹＥＳ）で、その用紙が追い刷り紙である場合に（図１２中のステップＳ３０４でＹＥＳ）、折り位置に存在する画像が追い刷りによる後の画像であれば（図１２中のステップＳ３０５でＹＥＳ）、トナー像が剥がれる可能性が大きいため、制御部３０１は、筋付け処理を実行し（図１１中のステップＳ３０６）、折り処理を実行し（図１１中のステップＳ３０８）、更に指定されている他の用紙処理を実行して排出するように、動作を決定して各部を制御する（図１１中のステップＳ３０９）。
【００９４】
折り目が形成される位置に画像が存在し（濃いトナー画像が存在する場合を含む：図１１中のステップＳ３０３でＹＥＳ）、その用紙が追い刷り紙である場合に（図１２中のステップＳ３０４でＹＥＳ）、折り位置に存在する画像が追い刷り紙に先に形成された画像であれば（図１２中のステップＳ３０５でＮＯ）、制御部３０１は、ガイダンス画面（図１２中の１０３Ｇ１）での設定に従って選択された処理を実行する（筋付け処理を実行する、あるいは、筋付け処理を実行しない：図１２中のステップＳ３０７）。この後、折り処理を実行し（図１１中のステップＳ３０８）、更に指定されている他の用紙処理を実行して排出するように、動作を決定して各部を制御する（図１１中のステップＳ３０９）。この場合、追い刷り紙として先に形成されている画像ではトナー像が安定しているため剥がれる可能性が小さいため、利用者の設定により筋付け処理を省略することができ、折り処理時に折り目部分でトナーが剥がれる現象を防止しつつ、処理時間を無駄なく最低限に押さえることが可能になる。
【００９５】
〔実施形態の動作（５）〕
以下、図１３のフローチャートを参照して、本実施形態の動作（５）についての説明を行う。
【００９６】
ここでは、事前に画像形成された追い刷り紙が画像形成装置１００の給紙部１０５に収容されるものの、画像形成装置１００では追加の画像形成がなされずに用紙処理装置３００で用紙処理を行う場合を想定している。なお、追い刷り紙において既に形成されている画像では、用紙処理までの間の時間の経過によってトナー像が用紙に対して安定して定着していると考えられる。よって、追い刷り紙において先に形成されている画像については、トナー剥がれを起こす可能性は小さくなっている。
【００９７】
また、以下の説明では、１つのジョブとして、追い刷り紙と追い刷り紙以外の用紙とが混在した状態の画像形成であってもよい。
【００９８】
まず、画像形成装置１００において給紙部１０５に追い刷り紙が収容された設定がなされると、制御部１０１は、操作表示部１０３に図１２のような操作表示画面１０３Ｇを表示する。ここでは、操作表示画面１０３Ｇにおいて、追い刷り紙に対して一括して筋付け処理を行うか否かのガイダンス画面（図１２中の１０３Ｇ１）が表示されている。ここで、利用者が［ＯＫ］を押下することで、追い刷り紙全体に対して筋付け処理を行う設定がなされる。また、利用者が［ＯＦＦ］を押下することで、追い刷り紙全体に対して筋付け処理を行わない設定がなされる。
【００９９】
そして、画像形成を制御している制御部１０１は、この追い刷り紙を用いた画像形成について折りや中綴じなどの用紙処理が指定されている場合には、制御部３０１に対して用紙処理実行を指示する。
【０１００】
この指示を受けた制御部３０１は、制御部１０１から画像形成情報と用紙処理情報とを取得する（図１３中のステップＳ４０１）。なお、追い刷り紙を用いる場合には、追い刷り紙を用いることが画像形成情報に含まれ、追い刷り紙に筋付け処理を行うか否かが用紙処理情報に含まれる。
【０１０１】
そして、制御部３０１は、画像形成装置１００から用紙処理装置３００に送られてくる用紙１枚ごと、折り処理が指定されているかを用紙処理情報により確認する（図１３中のステップＳ４０２）。折り処理が指定されていないと確認された場合（図１３中のステップＳ４０２でＮＯ）、制御部３０１は、画像形成装置から送られてきた用紙について、筋付け処理や折り処理を行わず、指定されている他の用紙処理を実行して排出するように各部を制御する（図１３中のステップＳ４０８）。
【０１０２】
用紙処理情報から折り処理が指定されていると確認できれば（図１３中のステップＳ４０２でＹＥＳ）、制御部３０１は、その用紙が追い刷り紙であるか否かを、画像形成情報や用紙情報を参照して確認する確認する（図１３中のステップＳ４０３）。
【０１０３】
折り処理が指定されており（図１３中のステップＳ４０２でＹＥＳ）、その用紙が追い刷り紙であれば（図１３中のステップＳ４０３でＹＥＳ）、制御部３０１は、ガイダンス画面（図１２中の１０３Ｇ１）での設定に従って選択された処理を実行する（筋付け処理を実行する、あるいは、筋付け処理を実行しない：図１３中のステップＳ４０４）。この後、折り処理を実行し（図１３中のステップＳ４０７）、更に指定されている他の用紙処理を実行して排出するように、動作を決定して各部を制御する（図１３中のステップＳ４０８）。この場合、追い刷り紙として先に形成されている画像ではトナー像が安定しているため剥がれる可能性が小さいため、利用者の設定により筋付け処理を省略することができ、折り処理時に折り目部分でトナーが剥がれる現象を防止しつつ、処理時間を無駄なく最低限に押さえることが可能になる。
【０１０４】
また、折り処理が指定されており（図１３中のステップＳ４０２でＹＥＳ）、その用紙が追い刷り紙以外であれば（図１３中のステップＳ４０３でＮＯ）、画像形成情報と用紙処理情報とを参照して、用紙において山状の折り目が形成される用紙凸面側の位置の画像の有無を調べる（図１３中のステップＳ４０５）。
【０１０５】
追い刷り紙以外の用紙であって折り目が形成される位置に画像が存在する場合（濃いトナー画像が存在する場合を含む：図１３中のステップＳ４０５でＹＥＳ）、トナー像が剥がれる可能性が大きいため、制御部３０１は、筋付け処理を実行し（図１３中のステップＳ４０６）、折り処理を実行し（図１３中のステップＳ４０７）、更に指定されている他の用紙処理を実行して排出するように、動作を決定して各部を制御する（図１３中のステップＳ４０８）。
【０１０６】
追い刷り紙以外の用紙であって折り目が形成される位置に画像が存在しない場合（薄いトナー画像が存在する場合を含む：図１３中のステップＳ４０５でＮＯ）、トナー像が剥がれる可能性は小さいため、制御部３０１は、筋付け処理を実行せずに折り処理を実行し（図１３中のステップＳ４０７）、更に指定されている他の用紙処理を実行して排出するように、動作を決定して各部を制御する（図１３中のステップＳ４０８）。
【０１０７】
この実施形態では、事前に画像形成された追い刷り紙を用紙として用いる際に、この追い刷り紙に対して後から画像を形成しない場合には、設定された条件に基づいて筋付け処理を行うか否かを決定するため、例えば、追い刷り紙において先に形成されている画像ではトナー像が安定しているため剥がれる可能性が小さいため、追い刷り紙である場合には筋付け処理を省略するように設定することで、折り処理時に折り目部分でトナーが剥がれる現象を防止しつつ、処理時間を無駄なく最低限に押さえることが可能になる。
【０１０８】
〔その他の実施形態の動作〕
以上の各実施形態では、制御部３０１が用紙処理についての制御を行うようにしていたが、これに限定されるものではない。たとえば、画像形成システムとして画像処理装置１００と用紙処理装置３００とが一体である場合には、以上の説明で制御部３０１が行っている制御についても制御部１０１が統括的に行うようにしてもよい。
【０１０９】
また、以上の各実施形態では、折り処理が指定されている場合に、折り位置での画像の有無を判定して筋付け処理を行うか否かを決定していたが、これに限定されることなく、たとえば、筋付け処理の有無を予め利用者が設定しておいて、その設定に従って動作するように制御しても良い。
【符号の説明】
【０１１０】
１００  画像形成装置
１０１  制御部
１０２  通信部
１０４  記憶部
１０３  操作表示部
１０５  給紙部
１０７  搬送部
１３０  画像データ記憶部
１４０  画像処理部
１５０  画像形成部
３００  用紙処理装置
３０１  制御部
３０２  通信部
３０４  記憶部
３０７  搬送部
３１０  筋付け部
３２０  整合部
３３０  折り部
３４０  重ね合わせ部
３５０  中綴じ部
３６０  角背処理部
３７０  断裁部
４００  用紙処理装置
４０１  制御部
４０２  通信部
４１０  搬送部
４２０  平綴じ部
４４０  メイントレイ排出部
４５０  サブトレイ排出部
【図１】
2013257370.tif 000003
【図２】
2013257370.tif 000004
【図３】
2013257370.tif 000005
【図４】
2013257370.tif 000006
【図５】
2013257370.tif 000007
【図６】
2013257370.tif 000008
【図７】
2013257370.tif 000009
【図８】
2013257370.tif 000010
【図９】
2013257370.tif 000011
【図１０】
2013257370.tif 000012
【図１１】
2013257370.tif 000013
【図１３】
2013257370.tif 000014
【図１２】
2013257370.tif 000015